【事件の表示】
　特願２００７−５４２４１８「チャネル状態情報により支援された多入力多出力（ＭＩＭＯ）システムにおけるロバスト無線マルチメディア伝送」拒絶査定不服審判事件〔平成１８年　５月２６日国際公開、ＷＯ２００６／０５４２４９、平成２０年　６月１９日国内公表、特表２００８−５２１３２１〕について、次のとおり審決する。
【結　論】
　本件審判の請求は、成り立たない。
【理　由】
１．手続の経緯と本願発明
　本願は、２００５年１１月１６日（パリ条約による優先権主張　外国庁受理２００４年１１月１７日　米国）を国際出願日とする出願であって、平成２４年２月２８日に拒絶査定がなされ、これに対し、同年７月５日に拒絶査定に対する審判請求がなされるとともに同日付けで手続補正がなされたが、当審において平成２５年５月８日付けで拒絶理由通知がなされ、これに対し、同年８月１３日付けで手続補正がなされたものであって、特許請求の範囲の請求項２３に係る発明（以下、「本願発明」という。）は、平成２５年８月１３日付け手続補正書により補正された明細書、特許請求の範囲及び図面の記載からみて、その特許請求の範囲の請求項２３に記載された以下のとおりのものと認める。
　
　「【請求項２３】
　無線ネットワークにおけるチャネル状態情報（ＣＳＩ）に支援された伝送用の装置であって：
　ＭＩＭＯチャネルＨのフィードバックされたチャネル係数の推定チャネル行列Ｈｎを分解し、これから分解信号を提供する分解回路と；
　前記分解信号を複数の異なるソースコーディングストリームに前置等化及び分離し、１つのソースコーディングストリームを信号対雑音比（ＳＮＲ）の高い方のチャネルで送信し、他のソースコーディングストリームをＳＮＲの低い方のチャネルで送信するように、送信機による送信のために複数のアンテナに前記ストリームをマッピングするためにＣＳＩを使用し、ＣＳＩに基づいて前記複数のソースコーディングストリームの送信エネルギーを分配するマッピング回路と；
　を有する装置。」
　
２．引用発明
（１）当審の拒絶の理由に引用された、木村広志　他，ＭＩＭＯチャネルにおけるＳＤＭターボ符号の検討，社団法人電子情報通信学会，電気情報通信学会技術研究報告　ＲＣＳ２００２−９３，Ｖｏｌ．１０２　Ｎｏ．２０４，２００２年７月１７日，ｐｐ．１９−２４（以下、「引用例１」という。）には、以下の事項が記載されている。
　
　イ．「３．チャネルモデル
　送信アンテナＮ素子，受信アンテナＬ素子で構成されたＭＩＭＯチャネルを考える．ｘ（ｔ）を各送信アンテナから送信される信号を要素とするＮ次元送信信号ベクトルとすると，ＭＩＭＯチャネルを通過して各受信アンテナで受信された信号を要素とするＬ次元受信信号ベクトルｒ（ｔ）は次式で表される．
　ｒ（ｔ）＝Ａｘ（ｔ）＋ｎ（ｔ）　　　　　　　　　　　　　（１）
ここで、Ａは次のようなＬ×Ｎのチャネル行列
　
であり，ここでａｊｉはｉ番目の送信アンテナからｊ番目の受信アンテナへのチャネル応答を表す．また，ｎ（ｔ）は各受信信号中に含まれる雑音成分を要素とするＬ次元雑音ベクトルである．」（２０頁左欄２６行〜右欄３行）
　
　ロ．「５．送信側でＭＩＭＯチャネル情報が既知の場合
　５．１　固有ビーム
　１つの送信信号ｓ（ｔ）をＮ素子の送信アレーからある指向性パターンで送信することを考える．ここで，指向性生成のためのＮ次元ウェイトベクトルをｗとするとき，送信信号ベクトルは
　ｘ（ｔ）＝ｗｓ（ｔ）　　　　　　　　　　　　　　　　　　（８）
で与えられる．このとき受信信号ベクトルは式（１）より
　ｒ（ｔ）＝Ａｗｓ（ｔ）＋ｎ（ｔ）　　　　　　　　　　　　（９）
となる．このように干渉が存在しない環境では，最大比合成：ＭＲＣ（Ｍａｘｉｍａｌ　Ｒａｔｉｏ　Ｃｏｍｂｉｎｉｎｇ）により合成後のＳＮ比を最大にすることができる．最大比合成ウェイトベクトルは（Ａｗ）Ｈで一意に与えられるため，合成後出力は次式で求められる．
　ｙ（ｔ）＝ｗＨＡＨＡｗｓ（ｔ）＋ｗＨＡＨｎ（ｔ）　　　　　（１０）
　式（１０）において，明らかに信号成分は第１項，雑音成分は第２項となっている．つまり，合成後の出力ｙ（ｔ）のＳＮ比は，
で与えられる．ただし，Ｐｓは送信信号の平均電力
　Ｐｓ＝Ｅ［｜ｓ（ｔ）｜２］　　　　　　　　　　　　　　　（１２）
である．式（１１）より，合成後出力のＳＮ比は送信ウェイトに影響されることがわかる．ここで，Ａの特異値分解，あるいは，Ｂ＝ＡＨＡの固有値分解を行うと，次の関係を満足するＫ個の固有ベクトルｅｋ（ｋ＝１、．．．，Ｋ）が得られる．
　ｅｉＨＢｅｉ＝λｉ　　　（λ１≦．．．≦λＫ）　　　　　（１３）
　ｅｉＨＢｅｊ＝０　　　　　　（ｉ≠ｊ）　　　　　　　　　（１４）
ただし，λｋはｋ番目の固有値（正実数）である．送信ウェイトｗ＝ｅｋを用いた場合，合成後出力のＳＮ比はλｋＰｓ／σ２となることがわかる．当然，ＳＮ比を最大にする送信ウェイトは，最大固有値に対応した固有ベクトルｅ１に一致する．これはＭＲＣウェイトと呼ばれている．」（２１頁左欄１９行〜右欄２０行）
　
　ハ．「５．３　Ｅ−ＳＤＭ方式
　前述の方式では，最大固有値ベクトルのみを用いたが，すべての固有ベクトルについて考えると，Ｋ個のストリームｓｋ（ｔ）をＫ個の固有ベクトルに対応したウェイトベクトルｗｋ＝ｅｋを用いてマルチビームを形成し，各ビームを用いて空間分割多重化して送信することが可能である．多重化された送信ベクトルは
となり，受信信号ベクトルも
と表される．受信ウェイトベクトルは，受信ＳＮ比を最大にすることを条件に考えると，各送信ウェイトベクトルに対して一意に決定される．つまり，ｋ番目の受信ウェイトは（Ａｅｋ）Ｈとなる．よって合成後の出力は式（１３）（１４）の関係により
となり，受信ＳＮ比を最大にする条件で決定した受信ウェイトを用いると，多重化された他の信号による干渉の影響を全く受けずに希望のストリームのみを受信できることがわかる．すなわち送受信ウェイトベクトルの組（ｅｋ，（Ａｅｋ）Ｈ））は互いに直交したチャネルを形成していると言える．」（２２頁左欄１行〜２１行）
　
　ニ．「５．４　Ｅ−ＳＤＭ方式を用いたターボ符号
　ＭＲＣの場合と同様にＥ−ＳＤＭ方式においてターボ符号を適用することを考える．Ｅ−ＳＤＭ方式では複数の送信ストリームが存在するが，受信側でそれぞれのストリームに対する受信ウェイトを用いて合成することにより，希望信号を取り出すことが可能である．ここでは，ターボ符号の情報ビットとパリティビットの２つのストリームに対してＥ−ＳＤＭ方式を適用することを考える．情報ビットには最大固有値に対応する固有ベクトルｅ１を送信ウェイトとして用い，パリティビットには第２固有値に対応する固有ベクトルｅ２を送信ウェイトとして用いた．よってブランチメトリックは式（１６）と同様の手法で
となる．」（２２頁左欄２２行〜３４行）
　
　ホ．「図１１に送信系を示したＥ−ＳＤＭ−Ｔｕｒｂｏにおいても同様の符号器を用い，変調方式をＢＰＳＫとし符号化率１／４のターボ符号器で２個のストリームで送信を行い，それぞれに情報とパリティを割り当てた．」（２３頁左１４行〜１７行）
　
　ヘ．「
」（２３頁左欄）
　
　上記イ．〜ヘ．の記載及び図面並びにこの分野における技術常識を考慮すると、
　上記イ．等に記載されるように、引用例１には、複数の送信アンテナと複数の受信アンテナ間でＭＩＭＯチャネルにより無線通信を行う送信側の装置について記載がある。
　
　上記イ．には、各送信アンテナから各受信アンテナへのそれぞれのチャネル応答を要素に持つチャネル行列Ａが示されている。そして、上記ロ．ないし上記ヘ．には、送信側でＭＩＭＯチャネル情報が既知の場合のＭＩＭＯチャネルを用いた無線通信について記載がある。このとき、チャネル行列Ａ及びチャネル行列Ａの要素であるそれぞれのチャネル応答は送信側装置で既知である。
　
　上記ロ．には、送信信号にウェイトベクトルを乗算することにより複数のアンテナから指向性のある送信信号を送信できること、また、上記チャネル行列Ａの特異値分解あるいは固有値分解を行うことで複数個の固有ベクトルが得られること、また、複数個の固有ベクトルのうち最大固有値に対応した固有値ベクトルはＳＮ比を最大とする送信ウェイトであることが記載されている。
　
　上記ハ．には、Ｅ−ＳＤＭ（Eigenbeam-Space Division Multiplexing：固有ビーム空間分割多重）方式について記載されており、複数個のストリームに複数個の固有値に対応したウェイトベクトルを用いてマルチビームを形成し、各ビームを用いて空間分割多重化して送信することができること、また、送受信ウェイトベクトルの組により複数の直交したチャネルが形成できることが記載されている。
　
　上記ニ．には、ターボ符号の情報ビットのストリームとパリティビットのストリームの送信に上記Ｅ−ＳＤＭ方式を適用し、情報ビットのストリームに最大固有値に対応する固有ベクトルを送信ウェイトとして用いること、また、パリティビットのストリームに第２固有値に対応する固有ベクトルを送信ウェイトとして用いることが記載されている。これは、上記ロ．及び上記ハ．の記載を踏まえれば、「ターボ符号の情報ビットのストリームをＳＮ比の高い方のチャネルで送信し、ターボ符号のパリティビットのストリームをＳＮ比の低い方のチャネルで送信するよう」にするものである。
　
　上記ホ．及び上記ヘ．には、上記２つのストリームをマルチビームフォーミングして複数のアンテナから送信する送信側の装置の構成が記載されている。
　
　ここで、送信側の装置は、上記したように複数の送信アンテナから複数の受信アンテナへのそれぞれの「チャネル応答」を要素に持つチャネル行列Ａを特異値分解あるいは固有値分解して複数の固有ベクトルを得て、この複数の固有ベクトルによる複数の送信ウェイトで複数のストリームをマルチビームフォーミングして送信するものであるから、「チャネル応答」に支援された装置であるといえ、また、マルチビームフォーミングは「チャネル応答」に基づいて行われているといえる。
　
　したがって、引用例１には以下の発明（以下、「引用発明１」という。）が開示されている。
　
　（引用発明１）
　「ＭＩＭＯチャネルによる無線通信を行うチャネル応答に支援された送信側の装置であって、
　複数の送信アンテナから複数の受信アンテナへのそれぞれのチャネル応答を要素に持つチャネル行列Ａを特異値分解あるいは固有値分解し、これから複数個の固有ベクトルを得る手段と、
　ターボ符号の情報ビットのストリームに最大固有値に対応した固有ベクトルを送信ウェイトとして積算し、ターボ符号のパリティビットのストリームに第２固有値に対応した固有ベクトルを送信ウェイトとして積算することにより、ターボ符号の情報ビットのストリームをＳＮ比の高い方のチャネルで送信し、ターボ符号のパリティビットのストリームをＳＮ比の低い方のチャネルで送信するように、チャネル応答に基づいて複数のアンテナで前記ストリームをマルチビームフォーミングする手段と、
を有する送信側の装置。」
　
（２）当審の拒絶の理由に引用された国際公開第０３／０７３６４６号（以下、「引用例２」という。）には、「MULTIPLE-INPUT,MULTIPLE-OUTPUT(MIMO)SYSTEMS WITH MULTIPLE TRANSMISSION MODES」（邦訳：「多重伝送モードを有する多重入力，多重出力（ＭＩＭＯ）システム」）として図面とともに以下の事項が記載されている。
　
　ト．「[1018] A MIMO system employs multiple (NT) transmit antennas and multiple (NR) receive antennas for data transmission. A MIMO channel formed by the NT transmit and NR receive antennas is referred to as a NR X NT MIMO system, and may be decomposed into Ns independent channels, with Ns ≦ min{NT,NR}. Each of the Ns independent channels is also referred to as a spatial subchannel (or a transmission channel) of the MIMO channel. The number of spatial subchannels is determined by the number of eigenmodes for the MIMO channel, which in turn is dependent on a channel response matrix, 
H
[1019] The elements of the channel response matrix, 
H
where hi,j is the coupling (i.e., the complex gain) between the j-th transmit antenna and the i-th receive antenna.
[1020] The model for the MIMO system may be expressed as:
　　
y
Hx
n
where 
　　
y
y
　　
x
x
　　
H
　　
n
0
Λn
I
0
I
[.]T denotes the transpose of [.] .
[1021] （略）
[1022] Due to scattering in the propagation environment, Ns data streams transmitted from the NT transmit antennas interfere with each other at the receiver. Multiple data streams may be transmitted on the spatial subchannels using channel-state information (CSI), which is descriptive of the characteristics of the MIMO channel. CSI may be categorized as either full CSI or partial CSI. Full CSI includes sufficient characterization (e.g., amplitude and phase) for the propagation path between each transmit-receive antenna pair in a (NR X NT) MIMO matrix as well as relevant modulation/coding information for the data streams. Partial CSI may comprise, for example, the signal-to-noise-and-interference ratios (SNRs) of the data streams. The full or partial CSI may be determined at the receiver (e.g., based on the received pilot and/or traffic data) and reported to the transmitter. 
[1023] Different transmission schemes may be used depending on whether full or partial CSI is available at the transmitter. When full CSI is available, the data streams may be transmitted on the eigenmodes of the MIMO channel. This may be achieved by pre-conditioning the data streams at the transmitter based on a set of (right) eigenvectors derived from the channel response matrix, 
H
H
H
[1024]　（略）
[1025] For both the full and partial CSI transmission schemes, the data rate and the coding and modulation for each data stream are dependent on the SNR achieved for the data stream. The SNR of each data stream may be estimated at the receiver. Information descriptive of either the estimated SNR or the particular coding and modulation scheme to be used for each data stream may then be provided to the transmitter and used to process the data stream prior to transmission over the MIMO channel. 
[1026] When full CSI is available, one technique for eliminating or reducing the interference among the data streams is to diagonalize the MIMO channel such that the data streams are effectively transmitted on orthogonal spatial subchannels. One technique for diagonalizing the MIMO channel is to perform singular value decomposition on the channel response matrix, 
H
　　
H
UDV
where 
U
U
U
I
　　　
D
　　　
V
　　　H denotes the complex transpose of a matrix.
The diagonal entries of matrix 
D
G
H
H
D
[1027] The diagonal matrix 
D
H
[1028] The singular value decomposition decomposes the channel response matrix, 
H
U
V
D
D
U
V
s
V
x
　　
x
Vs
This vector 
x
[1029] At the receiver, the received vector, 
y
Hx
n
U
r
　　
r
U
HVs
U
n
　　　= 
Ds
n^
where 
n^
n
n
[1030] As shown in equation (4), the pre-multiplication of the signal vector, 
s
V
y
U
D
s
r
H
[1031] For the full-CSI transmission scheme, one data stream may be transmitted on each of the Ns spatial subchannels or eigenmodes. For each spatial subchannel to be used for data transmission, the transmitter is provided the (right) eigenvector as well as relevant modulation/coding information for that subchannel. Thus, if all Ns spatial subchannels are used for data transmission, then the transmitter is provided with either the channel response matrix, 
H
V
　
　（邦訳）
　「［１０１８］ＭＩＭＯシステムは、データ送信のために多数の（ＮＴ個の）送信アンテナおよび多数の（ＮＲ個の）受信アンテナを使用する。ＮＴ個の送信アンテナとＮＲ個の受信アンテナによって形成されるＭＩＭＯチャンネルは、ＮＲ×ＮＴ  ＭＩＭＯシステムと呼ばれ、ＮＳ個の独立したチャンネルに分割されることができ、ここで、ＮＳ≦ｍｉｎ｛ＮＴ，ＮＲ｝である。ＮＳ個の独立したチャンネルのそれぞれは、ＭＩＭＯチャンネルの空間サブチャンネル（または伝送チャンネル）とも呼ばれる。空間サブチャンネルの数は、ＭＩＭＯチャンネルに対する固有モードの数によって決定され、したがってそれはＮＴ個の送信アンテナとＮＲ個の受信アンテナとの間の応答特性を記述するチャンネル応答特性マトリックスＨに依存する。
［１０１９］チャンネル応答特性マトリックスＨの要素は、以下のように独立したガウス確率変数から構成されている：
　　（式（１）　省略）
ここで、ｈｉｊはｊ番目の送信アンテナとｉ番目の受信アンテナとの間の結合（すなわち、複素数利得）である。
［１０２０］ＭＩＭＯシステムに対するモデルは次のように表されることができる：
　　
ｙ
Ｈｘ
ｎ
ここで、
　　
ｙ
ｙ
　　
ｘ
ｘ
　　
Ｈ
　　
ｎ
０
Λ
Ｉ
０
Ｉ
　　［．］Ｔは［．］の転置を示す。
［１０２１］　（略）
［１０２２］ 伝播環境における散乱のために、ＮＴ個の送信アンテナから送信されたＮＳ個のデータストリームは、受信機において互いに干渉する。チャンネル状態情報（ＣＳＩ）を使用して、多数のデータストリームが空間サブチャンネルで送信されることができる。なお、ＣＳＩはＭＩＭＯチャンネルの特性を記述したものである。ＣＳＩは、“全ＣＳＩ”または“部分的ＣＳＩ”のいずれかに分類されることができる。全ＣＳＩは、（ＮＲ×ＮＴ）ＭＩＭＯマトリックスにおける各送信・受信アンテナ対の間の伝播路に対する特性を十分に表すもの（たとえば、振幅および位相等）と、およびデータストリームに対する適切な変調／符号化情報とを含んでいる。部分的ＣＳＩは、たとえば、データストリームの信号対雑音および妨害比（ＳＮＲ）を含んでいることができる。全または部分的ＣＳＩは、受信機において決定され（たとえば、受信されたパイロットおよび、またはトラフィックデータに基づいて）、送信機に報告されてもよい。
［１０２３］全または部分的ＣＳＩのどちらが送信機において利用可能であるかに応じて、種々の送信方式が使用されることができる。全ＣＳＩが利用可能である場合、データストリームはＭＩＭＯチャンネルの固有モードで送信されることができる。これは、以下に説明するように、チャンネル応答特性マトリックス
Ｈ
Ｈ
Ｈ
［１０２４］　（略）
［１０２５］全および部分的ＣＳＩ送信方式の両者について、データレートならびに各データストリームに対する符号化および変調は、そのデータストリームに対して得られたＳＮＲに依存する。各データストリームのＳＮＲは受信機において推定されることができる。その後、推定されたＳＮＲを記述する情報または各データストリームに対して使用される特定の符号化および変調方式が送信機に提供され、ＭＩＭＯチャンネルによる送信の前にそのデータストリームを処理するために使用されてもよい。
［１０２６］全ＣＳＩが利用可能であるとき、データストリームの間の干渉を除去または減少する１つの技術は、データストリームが直交空間サブチャンネルで効率的に送信されるようにＭＩＭＯチャンネルを“対角化する”ことである。ＭＩＭＯチャンネルを対角化する１つの技術は、以下のように表されることのできるチャンネル応答特性マトリックス
Ｈ
　　
Ｈ
ＵＤＶ
ここで、
  
Ｕ
Ｕ
Ｕ
Ｉ
  
Ｄ
  
Ｖ
  “H”はあるマトリックスの複素数転置を示す。
マトリックス
Ｄ
Ｇ
Ｈ
Ｈ
Ｄ
［１０２７］したがって、対角マトリックス
Ｄ
Ｈ
［１０２８］特異値分解は、チャンネル応答特性マトリックスＨを２つのユニタリマトリックス
Ｕ
Ｖ
Ｄ
Ｄ
Ｕ
Ｖ
ｓ
Ｖ
ｘ
　　
ｘ
Ｖｓ
  その後、このベクトルｘはＭＩＭＯチャンネルによって受信機に送信される。
［１０２９］受信機において、以下のように、受信されたベクトル
ｙ
Ｈｘ
ｎ
Ｕ
ｒ
　　
ｒ
Ｕ
ＨＶｓ
Ｕ
ｎ
Ｄｓ
ｎ＾
ここで、
ｎ＾
ｎ
ｎ
［１０３０］式（４）に示されているように、マトリックス
Ｖ
ｓ
Ｕ
ｙ
Ｄ
ｓ
ｒ
Ｈ
［１０３１］全ＣＳＩ送信方式に関して、ＮＳ個の空間サブチャンネルまたは固有モードのそれぞれで１つのデータストリームが送信されることができる。データ送信に使用される各空間サブチャンネルに関して、送信機はそのサブチャンネルに適した変調／符号化情報だけでなく、（右）固有ベクトルもまた与えられる。したがって、ＮＳ個の空間サブチャンネルの全てがデータ送信のために使用される場合、送信機はチャンネル応答特性マトリックス
Ｈ
Ｖ
　
　上記ト．の記載及び図面並びにこの分野における技術常識を考慮すると、
　引用例２には、複数の送信アンテナを有する送信機と複数の受信アンテナを有する受信器間のＭＩＭＯチャンネルで無線通信を行うＭＩＭＯシステムの送信機について記載がある。
　上記ト．の段落［１０２２］には、チャネル状態情報（ＣＳＩ）について記載があり、前記ＣＳＩは、ＭＩＭＯマトリックスにおける各送信・受信アンテナ対の間の伝搬路に対する特性を十分に表す情報、すなわち「チャンネル応答特性」を含むこと、そして、前記ＣＳＩは、受信機において決定されて送信機に報告されることが記載されている。（同様の記載は段落［１０３１］にもある。）ここで、受信機から送信機への報告は、フィードバックといえる。
　そして、段落［１０２３］には、送信機において全ＣＳＩが利用可能であれば、データストリームをＭＩＭＯチャンネルの「固有モード」で送信することができると記載されている。段落［１０２６］〜［１０３１］には、上記「固有モード」送信方式について記載があり、フィードバックされたＣＳＩに含まれるチャンネル応答特性を要素に持つチャンネル応答特性マトリックス
Ｈ
Ｖ
Ｕ
　
　したがって、引用例２には以下の発明（以下、「引用発明２」という。）が開示されている。
　
　（引用発明２）
　「固有モード送信方式のＭＩＭＯ無線送信を行う送信機であって、
　ＭＩＭＯチャンネルのチャンネル応答特性はチャンネル状態情報（ＣＳＩ）により受信機から送信機にフィードバックされ、フィードバックされたチャンネル応答特性を要素とするチャンネル応答特性マトリックス
Ｈ
Ｖ
Ｕ
　前記マトリックス
Ｖ
　
３．対比
　本願発明と引用発明１とを対比する。
（ａ）引用発明１の「送信側の装置」は、明らかに本願発明の「伝送用の装置」に相当する。
　また、引用発明１の「ＭＩＭＯチャネルによる無線通信」は、複数の送信アンテナを有する送信側の装置と複数の受信アンテナを持つ受信側の装置間のＭＩＭＯチャネルで行われる無線通信であり、送信側の装置と受信側の装置で無線ネットワークを構成しているといえるから「無線ネットワークにおける」無線通信である。
　また、引用発明１の「チャネル応答」と本願発明の「チャネル状態情報（ＣＳＩ）」は、「特定のチャネル情報」である点で共通する。
　したがって、引用発明１の「ＭＩＭＯチャネルによる無線通信を行うチャネル応答に支援された送信側の装置」は、本願発明の「無線ネットワークにおけるチャネル状態情報（ＣＳＩ）に支援された伝送用の装置」と、「無線ネットワークにおける特定のチャネル情報に支援された伝送用の装置」である点で共通する。
　
（ｂ）引用発明１の「チャネル行列Ａ」と本願発明の「推定行列Ｈｎ」は、ＭＩＭＯチャネルから推定されたチャネル行列である点では共通するが、引用発明の「チャネル行列Ａ」の要素である「チャネル応答」（本願発明の「チャネル係数」に相当）は送信側の装置で既知であるとされるものの、フィードバックされたものであるのかは不明である。
　また、引用発明１の「特異値分解あるいは固有値分解」は本願発明の「分解」に相当し、また、引用発明１の「複数個の固有ベクトル」は、特異値分解あるいは固有値分解により得られるものであるから、本願発明の「分解信号」に相当する。
　したがって、引用発明１の「複数の送信アンテナから複数の受信アンテナへのそれぞれのチャネル応答を要素に持つチャネル行列Ａを特異値分解あるいは固有値分解し、これから複数個の固有ベクトルを得る手段」と本願発明の「ＭＩＭＯチャネルＨのフィードバックされたチャネル係数の推定チャネル行列Ｈｎを分解し、これから分解信号を提供する分解回路」は、「ＭＩＭＯチャネルＨの推定チャネル行列Ｈｎを分解し、これから分解信号を提供する分解回路」である点で共通する。
　
（ｃ）引用発明１の「ターボ符号の情報ビットのストリーム」と「ターボ符号のパリティビットのストリーム」は、本願発明の「異なるソースコーディングストリーム」に相当する。
　また、引用発明１の上記各「ストリーム」に「送信ウェイト」を「積算」することは、受信側の装置で受信したストリームに受信ウェイトを積算することと合わせ、直交したチャネルを形成するためものであるから、本願発明の「前置等化」に相当し、そして、このように「前置等化」により直交したストリームが形成されることから、各「ストリーム」は「分離」されているといえる。
　したがって、引用発明１の「ターボ符号の情報ビットのストリームに最大固有値に対応した固有ベクトルを送信ウェイトとして積算し、ターボ符号のパリティビットのストリームに第２固有値に対応した固有ベクトルを送信ウェイトとして積算する」ことは、本願発明の「前記分解信号を複数の異なるソースコーディングストリームに前置等化及び分離」することに相当する。
　
（ｄ）引用発明１の「ターボ符号の情報ビットのストリーム」、「ターボ符号のパリティビットのストリーム」は、それぞれ本願発明の「１つのソースコーディングストリーム」、「他のソースコーディングストリーム」に相当する。
　また、引用発明１の「ＳＮ比」は、明らかに本願発明の「信号対雑音比（ＳＮＲ）」に相当する。
　また、引用発明１では、各ストリームに固有ベクトルによる各送信ウェイトを積算してマルチビームを形成しマルチビームフォーミングを行っており、ここで、送信ウェイトを積算することは、ストリームの送信エネルギーを送信ウェイトに応じて複数の送信アンテナに分配することである。このように、引用発明１は固有ベクトルに基づいてストリームの送信エネルギーを複数のアンテナに分配、すなわち、マッピングしているからマッピング回路というべき構成を有しているといえる。そして、上記固有ベクトルは、複数の送信アンテナから複数の受信アンテナへのそれぞれのチャネル応答を要素に持つチャネル行列Ａを特異値分解あるいは固有値分解することにより得られているから、マルチビームフォーミングは、チャネル応答を使用し、また、チャネル応答に基づいて行われているといえる。ここで、引用発明１の「チャネル応答」は、上述したように、本願発明のチャネル状態情報である「ＣＳＩ」と「特定のチャネル情報」である点で共通している。
　したがって、引用発明１の「ターボ符号の情報ビットのストリームをＳＮ比の高い方のチャネルで送信し、ターボ符号のパリティビットのストリームをＳＮ比の低い方のチャネルで送信するように、チャネル応答に基づいて複数のアンテナで前記ストリームをマルチビームフォーミングする手段」は、本願発明の「１つのソースコーディングストリームを信号対雑音比（ＳＮＲ）の高い方のチャネルで送信し、他のソースコーディングストリームをＳＮＲの低い方のチャネルで送信するように、送信機による送信のために複数のアンテナに前記ストリームをマッピングするためにＣＳＩを使用し、ＣＳＩに基づいて前記複数のソースコーディングストリームの送信エネルギーを分配するマッピング回路」と、「１つのソースコーディングストリームを信号対雑音比（ＳＮＲ）の高い方のチャネルで送信し、他のソースコーディングストリームをＳＮＲの低い方のチャネルで送信するように、送信機による送信のために複数のアンテナに前記ストリームをマッピングするために特定のチャネル情報を使用し、特定のチャネル情報に基づいて前記複数のソースコーディングストリームの送信エネルギーを分配するマッピング回路」の点で共通している。
　したがって、本願発明と引用発明１は、以下の点で一致ないし相違している。
　
（一致点）
　「無線ネットワークにおける特定のチャネル情報に支援された伝送用の装置であって：
　ＭＩＭＯチャネルＨの推定チャネル行列Ｈｎを分解し、これから分解信号を提供する分解回路と；
　前記分解信号を複数の異なるソースコーディングストリームに前置等化及び分離し、１つのソースコーディングストリームを信号対雑音比（ＳＮＲ）の高い方のチャネルで送信し、他のソースコーディングストリームをＳＮＲの低い方のチャネルで送信するように、送信機による送信のために複数のアンテナに前記ストリームをマッピングするために特定のチャネル情報を使用し、特定のチャネル情報に基づいて前記複数のソースコーディングストリームの送信エネルギーを分配するマッピング回路と；
　を有する装置。」
　
（相違点）
（１）「特定のチャネル情報」に関し、本願発明では「チャネル状態情報（ＣＳＩ）」であるのに対し、引用発明１では「チャネル応答」である点。
（２）「ＭＩＭＯチャネルＨの推定チャネル行列Ｈｎ」に関し、本願発明が「ＭＩＭＯチャネルＨのフィードバックされたチャネル係数の推定チャネル行列Ｈｎ」であるのに対し、引用発明１では「複数の送信アンテナから複数の受信アンテナへのそれぞれのチャネル応答を要素に持つチャネル行列Ａ」であり、本願発明の「チャネル係数」に相当する「チャネル応答」がフィードバックされたものであるのか不明な点
　
４．当審の判断
　上記相違点について検討する。
　引用発明１の「チャネル応答」は、引用例１の摘記事項ロ．に記載されるように送信側の装置において「既知」であるとされているものの、どのようにして「複数の送信アンテナから複数の受信アンテナへ」のチャネル応答が、送信側で既知となるのかについて記載がない。
　
　一方、引用例２には、上記「２．引用発明」の（２）において認定したように、
　「固有モード送信方式のＭＩＭＯ無線送信を行う送信機であって、
　ＭＩＭＯチャンネルのチャンネル応答特性はチャンネル状態情報（ＣＳＩ）により受信機から送信機にフィードバックされ、フィードバックされたチャンネル応答特性を要素とするチャンネル応答特性マトリックス
Ｈ
Ｖ
Ｕ
　前記マトリックス
Ｖ
という引用発明２が開示されている。
　ここで、引用発明２の「チャンネル」、「チャンネル応答特性」、「チャンネル応答特性マトリックス
Ｈ
Ｖ
Ｖ
　してみれば、引用発明１の送信側の装置が行う「Ｅ−ＳＤＭ方式」のＭＩＭＯ無線送信と、引用発明２の送信機が行う「固有モード送信方式」のＭＩＭＯ無線送信は同様の技術であるといえる。
　
　そこで、技術分野を同じくする引用発明２の「チャンネル応答特性」を「チャンネル状態情報（ＣＳＩ）により受信機から送信機にフィードバック」する技術を、引用発明１に適用して、引用発明１の「チャネル応答行列Ａ」の要素である「チャネル応答」を受信機からフィードバックされるチャネル状態情報（ＣＳＩ）に含まれた「チャネル応答」から得るようにすることは当業者が適宜想到し得るものである。
　そのように為せば、引用発明１における「特定のチャネル情報」は、「チャネル状態情報（ＣＳＩ）」となり、引用発明１においても、送信側の装置は「チャネル状態情報（ＣＳＩ）」により支援されることになり、マルチビームフォーミングを行う際のストリームのマッピングに「ＣＳＩ」が利用されることとなり、そして、「ＣＳＩ」に基づいて送信エネルギーを分配することとなる。（相違点１）
　また、引用発明１の「チャネル応答を要素に持つチャネル行列Ａ」は「ＭＩＭＯチャネルＨのフィードバックされたチャネル係数の推定チャネル行列Ｈｎ」となる。（相違点２）
　
　このように上記各相違点は格別なものでない。そして、本願発明の作用効果は、引用発明１及び引用発明２から当業者が予測し得る範囲のものである。
　
５．むすび
　以上のとおり、本願発明は、引用発明１及び引用発明２に基いて当業者が容易に発明をすることができたものであるから、特許法第２９条第２項の規定により特許を受けることができない。
　
　よって、結論のとおり審決する。